(57)【要約】      （修正有）【課題】気体が、より快速的に、機械設置のエアインレット口に導入されるエアインレット伝送管部材を提供する。【解決手段】柱状体であって、エアインレット端１０と、エアインレット端のもう一端で、對應靠設於機械装置のエアインレット口に隣り合って設置されるエアアウトレット端２０と、長尺孔で、柱体の軸心に位置するように、エアインレット端とエアアウトレット端との間に貫設される直流気孔３０と、間隔に且つリング状に、エアインレット端とエアアウトレット端との間に貫設され、口径が、直流気孔より大きく、エアアウトレット端と一致する端面において、リング状孔が配列され、エアインレット端において、渦巻き状に且つ内環状壁面が円弧状に傾斜して、エアインレット端を通すと、渦巻き扇状の流線孔型になり、また、各渦巻気孔４０の両端の開口にある投影が、一部に重ね合う複数の渦巻気孔とが含有される。【選択図】図１
0003156946.tif 000002
【実用新案登録請求の範囲】
【請求項１】
柱状体であって、
エアインレット端と、
エアインレット端のもう一端で、對應靠設於機械装置のエアインレット口に隣り合って設置されるエアアウトレット端と、
長尺孔で、柱体の軸心に位置するように、エアインレット端とエアアウトレット端との間に貫設される直流気孔と、
間隔に且つリング状に、エアインレット端とエアアウトレット端との間に貫設され、口径が、直流気孔より大きく、エアアウトレット端と一致する端面において、リング状孔が配列され、エアインレット端において、渦巻き状に且つ内環状壁面が円弧状に傾斜して、エアインレット端を通すと、渦巻き扇状の流線孔型になり、また、各渦巻気孔の両端の開口にある投影が、一部に重ね合う複数の渦巻気孔と、
が含有される、
ことを特徴とするエアインレット伝送管部材。
【請求項２】
渦巻気孔の数は、四つであることを特徴とする請求項１に記載のエアインレット伝送管部材。
【請求項３】
渦巻気孔の口径は、サイズが異なることを特徴とする請求項１や２に記載のエアインレット伝送管部材。
【考案の詳細な説明】
【技術分野】
【０００１】
本考案は、エアインレット伝送管部材に関し、特に、機械装置のエアインレット口に実装されて、エアインレットの効率が向上される部材に関する。
【背景技術】
【０００２】
既存技術のエアインレット伝送管部材は、例えば、内燃機関エアインレットのマニホルドであり、一般として、単純の中空伝送管で、気体を燃焼室に導入するが、燃焼室に入る気体の量の多少や速度が、上記内燃機関の馬力や耐用寿命に影響するため、気体が燃焼室に入ることは、重要な事項になる。
【０００３】
従来の中空伝送管において、気体が、燃焼室に入ることは、吸引力の大小によるから、気体が、快速的に内燃機関に入ることができないため、燃焼室において、完全に燃焼できず、また、気体が、マニホルドに入る過程中、案内されることがないため、快速的に流動できなく、内燃機関中の気体が、明らかに不足になり、馬力が低減されて、最悪の場合、内燃機関が故障になり、そして、中空伝送管のエアインレットのマニホルド装置において、気体が、マニホルドにて、互いに衝突しながら、燃焼室に入るため、無形的に、障害が発生し、そのため、燃焼室を改良するべきである。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、気体が、螺旋させることにより、気体が、よりスムーズに且つ快速的に、エアインレット伝送管装置に入るため、所定の空間や吸引力により、気体が、より快速的に、機械装置のエアインレット口に導入されるエアインレット伝送管部材を提供する。
【課題を解決するための手段】
【０００６】
本考案は、上記の目的を達成するために、柱状体であって、エアインレット端と、エアインレット端のもう一端で、對應靠設於機械装置のエアインレット口に隣り合って設置されるエアアウトレット端と、長尺孔で、柱体の軸心に位置するように、エアインレット端とエアアウトレット端との間に貫設される直流気孔と、間隔に且つリング状に、エアインレット端とエアアウトレット端との間に貫設され、口径が、直流気孔より大きく、エアアウトレット端と一致する端面において、リング状孔が配列され、エアインレット端において、渦巻き状に且つ内環状壁面が円弧状に傾斜して、エアインレット端を通すと、渦巻き扇状の流線孔型になり、また、各渦巻気孔の両端の開口にある投影が、一部に重ね合う複数の渦巻気孔と、が含有される、エアインレット伝送管部材である。
【０００７】
本考案を、例えば、内燃機関の機械装置のエアインレット孔に実装して気体を導入する場合、内燃機関の吸引力により、気体が、エアインレット端を介して外部から内部へ供給する時、気体が、エアインレット端の端面にある渦巻き扇状孔の傾斜円弧状壁面に衝突して、上記壁の円弧面に沿って、快速的に渦巻気孔に導入されるため、気体を導入する時、気流が、螺旋式により導入され、そして、燃焼室に案内され、これにより、竜巻のような渦巻きが形成され、気体が燃焼室に入る速度が向上され、また、気体が、中空の直流気孔に入ると、案内効果が発生し、上記螺旋気流が案内されて、螺旋作用により、気体が互いに衝突することなく、不規則の経路を形成して、無形的に障害が発生することを防止できる。
【０００８】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００９】
図１乃至図８のように、本考案に係るエアインレット伝送管部材は、機械装置（例えば、内燃機関）のエアインレット口に実装され、上記エアインレット伝送管部材は、より良い実施例によれば、柱状体であり、エアインレット端１０とエアアウトレット端２０、一つの直流気孔３０及び四つの渦巻気孔４０がある。
【００１０】
前記のエアアウトレット端２０は、機械装置のエアインレット口に隣り合って設置され、本考案を介して、上記機械装置のエアインレットに対して気体を供給する。
【００１１】
前記の直流気孔30は、長尺孔であり、柱体の軸心に位置するように、エアインレット端１０とエアアウトレット端２０との間に貫設される。
【００１２】
前記渦巻気孔４０は、間隔に且つリング状に、エアインレット端１０とエアアウトレット端２０との間に貫設され、口径が直流気孔30より大きく、エアアウトレット端２０と一致する端面において、リング状孔が配列され、エアインレット端１０において、渦巻き状に且つ内環状壁面が円弧状に傾斜して、エアインレット端１０を通すと、渦巻き扇状の流線孔型になり、各渦巻気孔４０の両端の開口にある投影が、一部に重ね合う。
【００１３】
本考案は、例えば、内燃機関の機械装置のエアインレット孔に実装されて気体を供給する時、内燃機関の吸引力により、気体が、エアインレット端１０を介して、外部から内部へ供給され、気体が、エアインレット端１０の端面にある渦巻き扇状孔の傾斜円弧状壁面に衝突して、上記壁の円弧面に沿って、快速的に渦巻気孔４０に案内され、そのため、気流が、螺旋式に導入され、そして、燃焼室に案内され、これにより、竜巻のような渦巻きが形成され、気体が燃焼室に入る速度が向上される。
【００１４】
また、気体が、中空の直流気孔3０に案内される時、案内効果が発生し、上記螺旋気流が案内されて、螺旋作用により、気体が互いに衝突することなく、不規則の経路を形成して、無形的に障害が発生することを防止でき、また、四つの渦巻気孔４０の口径が、異なる設計により、螺旋気流の方向性を変化して気流の渦巻き力を向上する。
【００１５】
以上の説明から分かるように、本考案に係るエアインレット伝送管部材は、気体状態を変化でき、上記装置により気体に螺旋作用が発生し、そのため、気体が、よりスムーズに且つ快速的にエアインレット伝送管装置に案内され、これにより、所定の空間や吸引力により、気体が、より快速的に燃焼室に案内され、省エネルギーや馬力の増大等の利点が得られ、また、内燃機関の耐用寿命が向上される。
【００１６】
そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案の外観図
【図２】本考案の他の角度の外観図
【図３】本考案のエアインレット端の側面図
【図４】本考案の側面図
【図５】本考案の側面断面図
【図６】本考案の局部断面外観図
【図７】本考案のエアアウトレット端の側面図
【図８】本考案の局部断面概念外観図
【符号の説明】
【００１９】
１０  エアインレット端
２０  エアアウトレット端
３０  直流気孔
４０  渦巻気孔
【図１】
0003156946.tif 000003
【図２】
0003156946.tif 000004
【図３】
0003156946.tif 000005
【図４】
0003156946.tif 000006
【図５】
0003156946.tif 000007
【図６】
0003156946.tif 000008
【図７】
0003156946.tif 000009
【図８】
0003156946.tif 000010
【手続補正書】
【提出日】平成21年11月18日(2009.11.18)
【手続補正１】
【補正対象書類名】実用新案登録請求の範囲
【補正対象項目名】全文
【補正方法】変更
【補正の内容】
【実用新案登録請求の範囲】
【請求項１】
柱状体であって、
エアインレット端と、
エアインレット端のもう一端で、機械装置のエアインレット口に隣り合って設置されるエアアウトレット端と、
長尺孔で、柱体の軸心に位置するように、エアインレット端とエアアウトレット端との間に貫設される直流気孔と、
間隔に且つリング状に、エアインレット端とエアアウトレット端との間に貫設され、口径が、直流気孔より大きく、エアアウトレット端と一致する端面において、リング状孔が配列され、エアインレット端において、渦巻き状に且つ内環状壁面が円弧状に傾斜して、エアインレット端を通すと、渦巻き扇状の流線孔型になり、また、各渦巻気孔の両端の開口にある投影が、一部に重ね合う複数の渦巻気孔と、
が含有される、
ことを特徴とするエアインレット伝送管部材。
【請求項２】
渦巻気孔の数は、四つであることを特徴とする請求項１に記載のエアインレット伝送管部材。
【請求項３】
渦巻気孔の口径は、サイズが異なることを特徴とする請求項１または２記載のエアインレット伝送管部材。